(57)【特許請求の範囲】
【請求項１】
基地局を検索して基地局信号の測定結果を通信基地局を通じて位置サーバに送信する移動通信端末と、移動通信端末から受信された基地局信号の測定結果に基づいて当該移動通信端末の位置を特定する位置サーバとを備えてなる位置特定システムであって、
移動通信端末は、通信基地局から受信された当該通信基地局の周辺に位置する周辺基地局の一覧を表すネイバーリストに存在している基地局を検索し、検索に成功した基地局のうちの基地局信号の受信強度が規定値以上の基地局や基地局信号の位相に基づいて判断される移動通信端末との間の距離が規定値未満の基地局を指定基地局として指定し、
位置サーバは、移動通信端末から指定基地局として指定された基地局の周辺に位置する周辺基地局の一覧を表すネイバーリストを移動通信端末に送信し、
移動通信端末は、位置サーバから受信された当該指定基地局として指定された基地局のネイバーリストに基づいて基地局検索リストを作成し、作成された基地局検索リストに存在している基地局を検索することを特徴とする位置特定システム。
【請求項２】
移動通信端末から受信された基地局信号の測定結果に基づいて当該移動通信端末の位置を特定するように構成された位置サーバを備えてなる位置特定システムで用いられ、基地局を検索して基地局信号の測定結果を通信基地局を通じて位置サーバに送信する移動通信端末であって、
通信基地局から当該通信基地局の周辺に位置する周辺基地局の一覧を表すネイバーリストを受信すると共に、位置サーバから指定基地局として指定された基地局の周辺に位置する周辺基地局の一覧を表すネイバーリストを受信する通信手段と、
通信基地局から前記通信手段により受信されたネイバーリストに存在している基地局を検索し、検索に成功した基地局のうちの基地局信号の受信強度が規定値以上の基地局や基地局信号の位相に基づいて判断される移動通信端末との間の距離が規定値未満の基地局を指定基地局として指定すると共に、位置サーバから前記通信手段により受信されたネイバーリストに基づいて基地局検索リストを作成し、作成された基地局検索リストに存在している基地局を検索する制御手段とを備えたことを特徴とする移動通信端末。
【請求項３】
移動通信端末から受信された基地局信号の測定結果に基づいて当該移動通信端末の位置を特定するように構成された位置サーバを備えてなる位置特定システムで用いられ、基地局を検索して基地局信号の測定結果を通信基地局を通じて位置サーバに送信する移動通信端末に、
通信基地局から受信された当該通信基地局の周辺に位置する周辺基地局の一覧を表すネイバーリストに存在している基地局を検索させる手順と、
検索に成功した基地局のうちの基地局信号の受信強度が規定値以上の基地局や基地局信号の位相に基づいて判断される移動通信端末との間の距離が規定値未満の基地局を指定基地局として指定させる手順と、
位置サーバから受信された当該指定基地局として指定された基地局の周辺に位置する周辺基地局の一覧を表すネイバーリストに基づいて基地局検索リストを作成させる手順と、
作成された基地局検索リストに存在している基地局を検索させる手順とを実行させるためのコンピュータプログラム。
【発明の詳細な説明】
【０００１】
【発明の属する技術分野】
本発明は、位置サーバが移動通信端末から受信された基地局信号の測定結果に基づいて当該移動通信端末の位置を特定する位置特定システム、前記位置特定システムで用いられる移動通信端末、前記移動通信端末にて実行されるコンピュータプログラムに関する。
【０００２】
【発明が解決しようとする課題】
例えば携帯電話機などの移動通信端末の位置を特定する位置特定システムの一つとして、移動通信端末が通信している通信基地局の周辺に位置する周辺基地局からの基地局信号を利用するものがある。この場合、移動通信端末が単独で自身の位置を特定しようとすると、移動通信端末が基地局のアルマナック情報を保持する必要があると共に、移動通信端末が複雑な演算を行う必要があり、その結果、移動通信端末の価格が高くなったり、構成が複雑になったりするという事情がある。
【０００３】
このような背景から、位置サーバが基地局のアルマナック情報を保持すると共に、移動通信端末が基地局信号の測定結果を位置サーバに送信し、位置サーバが移動通信端末から受信された基地局信号の測定結果に基づいて演算を行い、移動通信端末の位置を特定するアシスト測位型のシステムが普及している。
【０００４】
さて、このような位置サーバが移動通信端末の位置を特定するアシスト測位型のシステムでは、移動通信端末は、通信基地局の周辺に位置する周辺基地局から基地局信号を受信すると、受信された基地局信号の受信強度や位相を測定し、基地局信号の測定結果を通信基地局を通じて位置サーバに送信する。位置サーバは、移動通信端末から基地局信号の測定結果が受信されると、受信された基地局信号の測定結果に基づいて演算を行い、移動通信端末の位置を特定し、特定結果を通信基地局を通じて移動通信端末に送信する。このように、移動通信端末と位置サーバとの間では、演算に必要となる基地局信号の測定結果や、移動通信端末の位置を特定した特定結果を通信基地局を通じて送受信する。
【０００５】
ところで、移動通信端末は、アイドル状態では、通信基地局からページングチャネルを受信し、通信基地局の周辺に位置する周辺基地局の一覧を表すネイバーリストを取得する。この場合、移動通信端末は、通信基地局を変更する毎に、通信基地局を変更した後の通信基地局からページングチャネルを受信してネイバーリストを取得するので、常に最新のネイバーリストを取得することになる。そして、移動通信端末は、測位するときは、その時点で保持されているネイバーリストに存在している基地局から基地局信号を受信し、基地局信号を測定することになる。
【０００６】
さて、移動通信端末は、一般的には、電波の受信状況が良好な基地局を通信基地局として設定する構成であるので、通常は、図１１に示すように、移動通信端末から近距離に位置する例えば基地局（Ａ）を通信基地局として設定することになる。ここで、図１１中、実線は、移動通信端末と通信基地局との間の通信を示している。
【０００７】
その結果、この場合は、基地局（Ａ）の周辺に位置する基地局、つまり、移動通信端末から近距離に位置する例えば基地局（Ｂ）、（Ｃ）、（Ｄ）、（Ｅ）および（Ｆ）がネイバーリストに存在している基地局となるので、移動通信端末は、ネイバーリストに存在している基地局を検索したときに、検索に成功する可能性が高く、検索に成功した基地局からの基地局信号を測定するができ、適切な基地局信号の測定結果を位置サーバに送信することができる。ここで、図１１中、破線は、移動通信端末とネイバーリストに存在している基地局との間の通信を示している。このようにして、位置サーバは、移動通信端末から受信された適切な基地局信号の測定結果に基づいて演算を行い、移動通信端末の位置を適切に特定することができる。
【０００８】
しかしながら、移動通信端末は、図１２に示すように、例えば建物などの影となる場所へ移動し、近距離に位置する基地局からの電波が建物などで遮られたような場合には、近距離に位置する基地局を通信基地局として設定するのではなく、遠方に位置する見通しの良い（移動通信端末との間に電波を遮る障害物が存在しない）例えば基地局（Ｋ）を通信基地局として設定する場合がある。
【０００９】
そうなると、この場合は、基地局（Ｋ）の周辺に位置する基地局、つまり、移動通信端末から遠方に位置する例えば基地局（Ｉ）、（Ｊ）、（Ｌ）、（Ｍ）および（Ｎ）がネイバーリストに存在している基地局となるので、移動通信端末は、ネイバーリストに存在している基地局を検索したときに、検索に成功する可能性が低く、ネイバーリストに存在している基地局からの基地局信号を良好に受信することができず、また、仮に検索に成功して基地局信号を受信することができたとしても、適切な基地局信号の測定結果を取得することができず、適切な基地局信号の測定結果を位置サーバに送信することができない。したがって、位置サーバは、移動通信端末の位置を適切に特定することができない。
【００１０】
また、このような不具合は、移動通信端末が遠方に位置する見通しの良い基地局を通信基地局として設定した場合に限らず、図１３に示すように、リピータ基地局例えば基地局（Ｉ）'を通信基地局として設定した場合や、図１４に示すように、対岸に位置する例えば基地局（Ｈ）を通信基地局として設定した場合にも発生し得る。
【００１１】
本発明は、上記した事情に鑑みてなされたもので、その目的は、位置サーバが移動通信端末から受信された基地局信号の測定結果に基づいて移動通信端末の位置を特定するシステムにおいて、移動通信端末が遠方に位置する見通しの良い基地局などを通信基地局として設定した場合であっても、位置サーバが移動通信端末の位置を適切に特定することができる位置特定システム、移動通信端末およびコンピュータプログラムを提供することにある。
【００１２】
【課題を解決するための手段】
請求項１に記載した位置特定システムによれば、移動通信端末は、通信基地局から受信された当該通信基地局の周辺に位置する周辺基地局の一覧を表すネイバーリストに存在している基地局を検索し、検索に成功した基地局のうちの基地局信号の受信強度が規定値以上の基地局や基地局信号の位相に基づいて判断される移動通信端末との間の距離が規定値未満の基地局を指定基地局として指定し、位置サーバは、移動通信端末から指定基地局として指定された基地局の周辺に位置する周辺基地局の一覧を表すネイバーリストを移動通信端末に送信し、移動通信端末は、位置サーバから受信された当該指定基地局として指定された基地局のネイバーリストに基づいて基地局検索リストを作成し、作成された基地局検索リストに存在している基地局を検索する。そして、移動通信端末は、このようにして基地局を検索して基地局信号の測定結果を通信基地局を通じて位置サーバに送信し、位置サーバは、移動通信端末から受信された基地局信号の測定結果に基づいて当該移動通信端末の位置を特定する。
【００１３】
すなわち、移動通信端末は、自身から遠方に位置する見通しの良い基地局、リピータ基地局或いは対岸に位置する基地局などを通信基地局として設定した場合、つまり、自身から近距離に位置する基地局がネイバーリストに存在していない場合であっても、自身から近距離に位置する基地局を指定基地局として指定することによって、自身から近距離に位置する基地局からの基地局信号を測定することができる。したがって、移動通信端末は、適切な基地局信号の測定結果を位置サーバに送信することができ、これに伴って、位置サーバは、移動通信端末の位置を適切に特定することができる。
また、この場合、移動通信端末は、基地局信号の受信強度が規定値以上の基地局や基地局信号の位相に基づいて判断される移動通信端末との間の距離が規定値未満の基地局という条件の良い基地局を選択することによって、条件の良い基地局からの基地局信号の測定結果を位置サーバに送信することができ、これに伴って、位置サーバは、移動通信端末の位置をより適切に特定することができる。
【００１４】
請求項２に記載した移動通信端末によれば、制御手段は、通信基地局から通信手段により受信された当該通信基地局の周辺に位置する周辺基地局の一覧を表すネイバーリストに存在している基地局を検索し、検索に成功した基地局のうちの基地局信号の受信強度が規定値以上の基地局や基地局信号の位相に基づいて判断される移動通信端末との間の距離が規定値未満の基地局を指定基地局として指定し、位置サーバから通信手段により受信された当該指定基地局として指定された基地局の周辺に位置する周辺基地局の一覧を表すネイバーリストに基づいて基地局検索リストを作成し、作成された基地局検索リストに存在している基地局を検索する。そして、移動通信端末は、このようにして基地局を検索して基地局信号の測定結果を通信基地局を通じて位置サーバに送信し、位置サーバは、移動通信端末から受信された基地局信号の測定結果に基づいて当該移動通信端末の位置を特定する。したがって、上記した請求項１に記載したものと同様にして、移動通信端末は、適切な基地局信号の測定結果を位置サーバに送信することができ、これに伴って、位置サーバは、移動通信端末の位置を適切に特定することができる。また、移動通信端末は、条件の良い基地局からの基地局信号の測定結果を位置サーバに送信することができ、これに伴って、位置サーバは、移動通信端末の位置をより適切に特定することができる。
【００１６】
請求項３に記載したコンピュータプログラムによれば、当該コンピュータプログラムを、移動通信端末から受信された基地局信号の測定結果に基づいて当該移動通信端末の位置を特定するように構成された位置サーバを備えてなる位置特定システムで用いられ、基地局を検索して基地局信号の測定結果を通信基地局を通じて位置サーバに送信する移動通信端末にインストールして実行させると、通信基地局から受信された当該通信基地局の周辺に位置する周辺基地局の一覧を表すネイバーリストに存在している基地局を検索させる手順と、検索に成功した基地局のうちの基地局信号の受信強度が規定値以上の基地局や基地局信号の位相に基づいて判断される移動通信端末との間の距離が規定値未満の基地局を指定基地局として指定させる手順と、位置サーバから受信された当該指定基地局として指定された基地局の周辺に位置する周辺基地局の一覧を表すネイバーリストに基づいて基地局検索リストを作成させる手順と、作成された基地局検索リストに存在している基地局を検索させる手順とを実行するようになるので、上記した請求項２に記載したものと同様の作用効果を得ることができる。
【００２２】
【発明の実施の形態】
以下、本発明を位置サーバがＧＰＳ（Global Positioning System ）衛星からのＧＰＳ衛星信号や基地局からの基地局信号に基づいて携帯電話機の位置を特定可能な位置特定システムに適用した一実施例について、図１ないし図１０を参照して説明する。
【００２３】
まず、図２は、位置特定システムの全体の構成を概略的に示している。携帯電話機１は、複数の基地局２から通信基地局を例えば基地局信号の受信強度に基づいて決定し、決定された通信基地局によりＣＤＭＡ（Code Division Multiple Access ）ネットワーク３を通じて位置サーバ４との間で各種の信号を送受信する。携帯電話機１および位置サーバ４は、ＧＰＳ衛星５からのＧＰＳ衛星信号を受信する。また、位置サーバ４は、ＧＰＳ衛星５に関するアルマナック情報および基地局２に関するアルマナック情報（設置位置、アンテナの方向（指向性）、サービスエリアなど）を保持している。
【００２４】
図３は、携帯電話機１の機能ブロックを概略的に示している。携帯電話機１は、ＣＰＵ（Central Processing Unit ）６（本発明でいう移動通信端末の制御手段）に、ＧＰＳ衛星５を検索するＧＰＳ無線部７と、基地局２を検索すると共に位置サーバ４との間でＣＤＭＡネットワーク３を通じて情報を送受信するＣＤＭＡ無線部８（本発明でいう移動通信端末の通信手段）と、マイクロホン９から入力した送話音声やスピーカ１０から出力する受話音声を処理する音声処理部１１と、「通話開始」キー、「通話終了」キー、「０」〜「９」の「数字」キーなどの多数のキーを配列したキーパッドから構成される操作部１２と、日付・時刻や電話番号などを表示する液晶ディスプレイから構成される表示部１３と、ＲＡＭ（Random Access Memory）やＲＯＭ（Read Only Memory）から構成される記憶部１４とが接続された構成となっている。この場合、操作部１２は、表示部１３に表示されるタッチパネル型のものであっても良く、また、ＧＰＳ無線部７のアンテナとＣＤＭＡ無線部８のアンテナとを兼用する構成であっても良い。
【００２５】
図４は、位置サーバ４の機能ブロックを概略的に示している。位置サーバ４の機能ブロックを概略的に示している。位置サーバ４は、ＣＰＵ１５（本発明でいう位置サーバの制御手段）に、ＧＰＳ衛星５を検索するＧＰＳ無線部１６と、携帯電話機１との間でＣＤＭＡネットワーク３を通じて情報を送受信する通信部１７（本発明でいう位置サーバの通信手段）と、上記したＧＰＳ衛星５に関するアルマナック情報および基地局２に関するアルマナック情報を保持してなるメモリ１８とが接続された構成となっている。
【００２６】
次に、上記した構成の作用について、図１、図５ないし図１０を参照して説明する。尚、ここでは、位置サーバ４が基地局からの基地局信号のみに基づいて、つまり、ＧＰＳ衛星５からのＧＰＳ衛星信号を利用することなく、携帯電話機１の位置を特定する場合を説明する。
【００２７】
最初に、図５に示すように、携帯電話機１が自身から近距離に位置する例えば基地局（Ａ）を通信基地局として設定した場合を説明する。
【００２８】
携帯電話機１において、ＣＰＵ６は、アイドル状態にあるときに、自身から近距離に位置する基地局（Ａ）からページングチャネルがＣＤＭＡ無線部８により受信されると、受信されたページングチャネルを解析し、ネイバーリストを取得する（図１中、ステップＳ１）。このとき、携帯電話機１により取得されたネイバーリストには、図６（ａ）に示すように、携帯電話機１が自身から近距離に位置する基地局（Ａ）を通信基地局として設定しているので、携帯電話機１から近距離に位置する例えば基地局（Ｂ）、（Ｃ）、（Ｄ）、（Ｅ）および（Ｆ）が存在していることになる。
【００２９】
次いで、ＣＰＵ６は、ネイバーリストに存在している基地局を検索し（図１中、ステップＳ２）、指定基地局を決定する（図１中、ステップＳ３）。具体的に説明すると、ＣＰＵ６は、ネイバーリストに存在している基地局を検索した結果として、図６（ｂ）に示すように、基地局（Ｆ）からの基地局信号の受信強度が最大であり、基地局（Ｂ）からの基地局信号の受信強度が次点で大きい場合であれば、基地局（Ｆ）および基地局（Ｂ）を指定基地局として決定する。
【００３０】
そして、ＣＰＵ６は、例えばユーザが測位開始を指示する操作を行った旨を検出すると（図１中、ステップＳ４）、ＣＤＭＡ無線部８から測位要求、基地局情報および上記したようにして指定基地局として決定された基地局を表す指定基地局ＩＤを通信基地局である基地局（Ａ）を通じて位置サーバ４に送信させる。
【００３１】
位置サーバ４において、ＣＰＵ１５は、携帯電話機１から測位要求、基地局情報および指定基地局ＩＤが通信部１７により受信されると、受信された基地局情報に基づいて通信基地局を特定し（図１中、ステップＴ１）、基準基地局を特定する（図１中、ステップＴ２）。
【００３２】
そして、ＣＰＵ１５は、受信された指定基地局ＩＤにより表される基地局のネイバーリストを取得し（図１中、ステップＴ３）、通信部１７から測位応答および当該取得された指定基地局のネイバーリストを携帯電話機１に送信させる。具体的に説明すると、この場合であれば、ＣＰＵ１５は、指定基地局ＩＤにより表される基地局が基地局（Ｆ）および基地局（Ｂ）であるので、通信部１７から基地局（Ｆ）のネイバーリストおよび基地局（Ｂ）のネイバーリストを携帯電話機１に送信させる。
【００３３】
携帯電話機１において、ＣＰＵ６は、位置サーバ４から測位応答および指定基地局のネイバーリストがＣＤＭＡ無線部８により受信されると、図７に示すように、先に通信基地局である基地局（Ａ）から受信されたネイバーリストに存在している基地局に、位置サーバ４から受信された基地局（Ｆ）のネイバーリストおよび基地局（Ｂ）のネイバーリストに存在している基地局を追加するように基地局検索リストを作成する（図１中、ステップＳ５）。
【００３４】
次いで、ＣＰＵ６は、このようにして作成された基地局検索リストに存在している基地局を検索し（図１中、ステップＳ６）、検索に成功した基地局からの基地局信号を測定し（図１中、ステップＳ７）、基地局信号の測定結果を取得する（図１中、ステップＳ８）。そして、ＣＰＵ６は、このようにして取得された基地局信号の測定結果をＣＤＭＡ無線部８から通信基地局である基地局（Ａ）を通じて位置サーバ４に送信させる。
【００３５】
位置サーバ４において、ＣＰＵ１５は、携帯電話機１から基地局信号の測定結果が通信部１７により受信されると、受信された測定結果に基づいて演算を行い、携帯電話機１の位置を特定する（図１中、ステップＴ４）。そして、ＣＰＵ１５は、通信部１７から携帯電話機１の位置が特定された特定結果を携帯電話機１に送信させる。
【００３６】
以上に説明したように、携帯電話機１は、通信基地局から受信されたネイバーリストに存在している基地局を検索し、基地局信号の受信強度が大きい条件の良い基地局を指定基地局として指定し、位置サーバ４は、指定基地局として指定された基地局のネイバーリストを携帯電話機１に送信し、携帯電話機１は、指定基地局として指定された基地局のネイバーリストに存在している基地局をも検索することになり、基地局信号の測定結果を位置サーバ４に送信することになる。
【００３７】
すなわち、この場合であれば、携帯電話機１は、通信基地局である基地局（Ａ）から受信されたネイバーリストに存在している基地局（Ｂ）、（Ｃ）、（Ｄ）、（Ｅ）および（Ｆ）を検索するのに加えて、指定基地局として指定された基地局（Ｆ）および（Ｂ）のネイバーリストに存在している基地局（Ａ）、（Ｇ）、（Ｐ）および（Ｈ）をも検索することになり、基地局信号の測定結果を位置サーバ４に送信することになる。
【００３８】
これに対して、図８に示すように、携帯電話機１が自身から近距離に位置する基地局を通信基地局として設定するのではなく、携帯電話機１が自身から遠方に位置する見通しの良い例えば基地局（Ｋ）を通信基地局として設定した場合を説明する。
【００３９】
携帯電話機１において、ＣＰＵ６は、アイドル状態にあるときに、通信基地局である自身から遠方に位置する見通しの良い基地局（Ｋ）からページングチャネルがＣＤＭＡ無線部８により受信されると、受信されたページングチャネルを解析し、ネイバーリストを取得する。このとき、携帯電話機１により取得されたネイバーリストには、図９（ａ）に示すように、携帯電話機１が自身から遠方に位置する見通しの良い基地局（Ｋ）を通信基地局として設定しているので、携帯電話機１から遠方に位置する例えば基地局（Ｉ）、（Ｊ）、（Ｌ）、（Ｏ）および（Ｎ）が存在していることになる。
【００４０】
次いで、ＣＰＵ６は、ネイバーリストに存在している基地局を検索し、指定基地局を決定する。具体的に説明すると、ＣＰＵ６は、ネイバーリストに存在している基地局を検索した結果として、図９（ｂ）に示すように、基地局（Ｉ）からの基地局信号の受信強度が最大であり、基地局（Ｏ）からの基地局信号の受信強度が次点で大きい場合であれば、基地局（Ｉ）および基地局（Ｏ）を指定基地局として決定する。
【００４１】
そして、ＣＰＵ６は、例えばユーザが測位開始を指示する操作を行った旨を検出すると、ＣＤＭＡ無線部８から測位要求、基地局情報および上記したようにして指定基地局として決定された基地局を表す指定基地局ＩＤを通信基地局である基地局（Ｋ）を通じて位置サーバ４に送信させる。
【００４２】
位置サーバ４において、ＣＰＵ１５は、携帯電話機１から測位要求、基地局情報および指定基地局ＩＤが通信部１７により受信されると、受信された基地局情報に基づいて通信基地局を特定し、基準基地局を特定する。
【００４３】
そして、ＣＰＵ１５は、受信された指定基地局ＩＤにより表される基地局のネイバーリストを取得し、通信部１７から測位応答および当該取得された指定基地局のネイバーリストを携帯電話機１に送信させる。具体的に説明すると、ＣＰＵ１５は、この場合であれば、指定基地局ＩＤにより表される基地局が基地局（Ｉ）および基地局（Ｏ）であるので、基地局（Ｉ）のネイバーリストおよび基地局（Ｏ）のネイバーリストを携帯電話機１に送信させる。
【００４４】
携帯電話機１において、ＣＰＵ６は、位置サーバ４から測位応答および指定基地局のネイバーリストがＣＤＭＡ無線部８により受信されると、図１０に示すように、先に通信基地局である基地局（Ｋ）から受信されたネイバーリストに存在している基地局に、位置サーバ４から受信された基地局（Ｉ）のネイバーリストおよび基地局（Ｏ）のネイバーリストに存在している基地局を追加するように基地局検索リストを作成する。
【００４５】
次いで、ＣＰＵ６は、このようにして作成された基地局検索リストに存在している基地局を検索し、検索に成功した基地局からの基地局信号を測定し、基地局信号の測定結果を取得する。そして、ＣＰＵ６は、このようにして取得された基地局信号の測定結果をＣＤＭＡ無線部８から通信基地局である基地局（Ｋ）を通じて位置サーバ４に送信させる。
【００４６】
位置サーバ４において、ＣＰＵ１５は、携帯電話機１から基地局信号の測定結果が通信部１７により受信されると、受信された測定結果に基づいて演算を行い、携帯電話機１の位置を特定する。そして、ＣＰＵ１５は、通信部１７から携帯電話機１の位置が特定された特定結果を携帯電話機１に送信させる。
【００４７】
以上に説明したように、この場合であれば、携帯電話機１は、通信基地局である基地局（Ｋ）から受信されたネイバーリストに存在している基地局（Ｉ）、（Ｊ）、（Ｌ）、（Ｏ）および（Ｎ）を検索するのに加えて、指定基地局として指定された基地局（Ｉ）および（Ｏ）のネイバーリストに存在している基地局（Ｂ）、（Ｃ）、（Ｈ）、（Ｆ）および（Ｇ）をも検索することになり、基地局信号の測定結果を位置サーバ４に送信することになる。
【００４８】
このように、携帯電話機１は、自身から遠方に位置する見通しの良い例えば基地局（Ｋ）を通信基地局として設定した場合であっても、基地局信号の受信強度の大きい基地局（Ｉ）および（Ｏ）を指定基地局として指定し、位置サーバ４から指定基地局として指定された基地局（Ｉ）および（Ｏ）のネイバーリストを受信して基地局検索リストを作成し、作成された基地局検索リストに存在している基地局を検索することによって、適切な基地局信号の測定結果を位置サーバ４に送信することが可能となり、これに伴って、位置サーバ４は、携帯電話機１の位置を適切に特定することが可能となる。
【００４９】
ところで、以上は、携帯電話機１が遠方に位置する見通しの良い基地局を通信基地局として設定した場合を説明したものであるが、リピータ基地局を通信基地局として設定した場合や、対岸に位置する基地局を通信基地局として設定した場合も、これと同様である。また、基地局信号の受信強度を基準として指定基地局を決定する場合を説明したものであるが、基地局信号の位相を基準として指定基地局を決定した場合も、これと同様である。
【００５０】
以上に説明したように本実施例によれば、携帯電話機１において、いずれかの基地局を指定基地局として指定し、位置サーバ４において、携帯電話機１から指定基地局として指定された基地局の周辺に位置する周辺基地局の一覧を表すネイバーリストを携帯電話機１に送信し、携帯電話機１において、位置サーバ４から受信された当該指定基地局として指定された基地局のネイバーリストに基づいて基地局検索リストを作成し、作成された基地局検索リストに存在している基地局を検索するように構成した。
【００５１】
したがって、携帯電話機１は、自身から遠方に位置する見通しの良い基地局、リピータ基地局或いは対岸に位置する基地局などを通信基地局として設定した場合、つまり、自身から近距離に位置する基地局がネイバーリストに存在していない場合であっても、自身から近距離に位置する基地局を指定基地局として指定することによって、自身から近距離に位置する基地局からの基地局信号を測定することができ、適切な基地局信号の測定結果を位置サーバ４に送信することができ、これに伴って、位置サーバ４は、携帯電話機１の位置を適切に特定することができる。
【００５２】
また、この場合、携帯電話機１において、通信基地局から受信された当該通信基地局の周辺に位置する周辺基地局の一覧を表すネイバーリストに存在している基地局を検索し、検索に成功した基地局のうちの基地局信号の受信強度が規定値以上の基地局や基地局信号の位相に基づいて判断される携帯電話機１との間の距離が規定値未満の基地局を指定基地局として指定するように構成した。
【００５３】
したがって、携帯電話機１は、基地局信号の受信強度が規定値以上の基地局や基地局信号の位相に基づいて判断される携帯電話機１との間の距離が規定値未満の基地局という条件の良い基地局を選択することによって、条件の良い基地局からの基地局信号の測定結果を位置サーバ４に送信することができ、これに伴って、位置サーバ４は、携帯電話機１の位置をより適切に特定することができる。
【００５４】
本発明は、上記した実施例にのみ限定されるものではなく、以下のように変形または拡張することができる。
移動通信端末は、携帯電話機に限らず、通信機能を有する携帯情報端末などの他のものであっても良い。
基地局が位置サーバの機能を有する構成であっても良く、つまり、位置サーバが指定基地局のネイバーリストを取得して携帯電話機に送信する構成に限らず、通信基地局が指定基地局のネイバーリストを取得して携帯電話機に送信する構成であっても良い。
【００５５】
携帯電話機が指定基地局として指定する基地局の局数は、２局に限らず、システムの構成や負荷などに応じて任意の局数に決定すれば良い。
ＧＰＳ衛星信号および基地局信号の双方を利用して携帯電話機の位置を特定する場合に適用しても良い。
【００５６】
基地局検索リストに登録可能な局数に制限を与え、基地局検索リストに登録される基地局の局数が規定局数を超えた場合には、例えば基地局信号の受信強度が小さい順や基地局信号の位相が大きい順に、条件の悪い基地局を基地局検索リストから削除するように構成しても良い。
【００５７】
携帯電話機において、位置サーバから受信された指定基地局のネイバーリストに存在している基地局を検索し、検索に成功した基地局のうちの基地局信号の受信強度が規定値以上の基地局や基地局信号の位相に基づいて判断される携帯電話機との間の距離が規定値未満の基地局を指定基地局として再度指定し、位置サーバから指定基地局として再度指定された基地局のネイバーリストを取得するように、つまり、位置サーバから指定基地局のネイバーリストを取得する処理を繰返して行うように構成しても良い。
【００５８】
携帯電話機や位置サーバにおいて、それぞれのＣＰＵが実行するコンピュータプログラムは、最初（例えば製品化の段階）から記憶されているものに限らず、例えば特定のサーバからネットワークを通じてダウンロードされたり或いはＣＤ−ＲＯＭ（Compact Disk-Read Only Memory）やカードなどの記録媒体から転送されてインストールされるものであっても良い。
【図面の簡単な説明】
【図１】本発明の一実施例の処理の流れを概略的に示す図
【図２】システムの全体構成を概略的に示す図
【図３】携帯電話機の構成を示す機能ブロック図
【図４】位置サーバの構成を示す機能ブロック図
【図５】近距離に位置する基地局（Ａ）を通信基地局として設定した場合の態様を概略的に示す図
【図６】ネイバーリストなどを示す図
【図７】基地局検索リストなどを示す図
【図８】遠方に位置する見通しの良い基地局（Ｋ）を通信基地局として設定した場合の態様を概略的に示す図
【図９】図６相当図
【図１０】図７相当図
【図１１】近距離に位置する基地局（Ａ）を通信基地局として設定した場合の態様を概略的に示す図
【図１２】遠方に位置する見通しの良い基地局（Ｋ）を通信基地局として設定した場合の態様を概略的に示す図
【図１３】リピータ基地局（Ｉ）´を通信基地局として設定した場合の態様を概略的に示す図
【図１４】対岸に位置する基地局（Ｈ）を通信基地局として設定した場合の態様を概略的に示す図
【符号の説明】
１は携帯電話機（移動通信端末）、２は基地局、４は位置サーバ、６はＣＰＵ（移動通信端末の制御手段）、８はＣＤＭＡ無線部（移動通信端末の通信手段）、１５はＣＰＵ（位置サーバの制御手段）、１７は通信部（位置サーバの通信手段）である。
【図１】
0003678210.tif 000002
【図２】
0003678210.tif 000003
【図３】
0003678210.tif 000004
【図４】
0003678210.tif 000005
【図５】
0003678210.tif 000006
【図６】
0003678210.tif 000007
【図７】
0003678210.tif 000008
【図８】
0003678210.tif 000009
【図９】
0003678210.tif 000010
【図１０】
0003678210.tif 000011
【図１１】
0003678210.tif 000012
【図１２】
0003678210.tif 000013
【図１３】
0003678210.tif 000014
【図１４】
0003678210.tif 000015